(57)【要約】【課題】  従来の撮像装置では、ブラケット撮影の同時に変化させる撮影パラメータの種類の数に依って非常に多くの画像を扱うことになるため、大きな画像処理能力や画像メモリを必要となるといった問題があった。【解決手段】  一度の撮影指示により少なくとも１種類の撮影パラメータの値を変化させて複数の画像を取得するブラケット撮影を行う撮像装置であって、撮影手段と、第１撮影パラメータを変化させた第１ブラケット撮影によって取得された複数の画像を表示する表示手段と、前記表示手段に表示された複数枚の画像から１つの画像を選択する選択手段と、を備え、前記撮影手段は、前記選択手段によって選択された画像に対応する値を用いて第１撮影パラメータを固定し、前記第１撮影パラメータと異なる第２撮影パラメータの値を変化させて第２ブラケット撮影を行うことを特徴とする撮像装置０である。【選択図】  図１
2016046738.tif 000002
【特許請求の範囲】
【請求項１】
一度の撮影指示により少なくとも１種類の撮影パラメータの値を変化させて複数の画像を取得するブラケット撮影を行う撮像装置であって、
撮影手段と、
第１撮影パラメータを変化させた第１ブラケット撮影によって取得された複数の画像を表示する表示手段と、
前記表示手段に表示された複数の画像から１つの画像を選択する選択手段と、を備え、
前記撮影手段は、前記選択手段によって選択された画像に対応する値を用いて第１撮影パラメータを固定し、前記第１撮影パラメータと異なる第２撮影パラメータの値を変化させて第２ブラケット撮影を行うことを特徴とする撮像装置。
【請求項２】
複数回のブラケット撮影によって変化させる撮影パラメータの種類の合計が３以上であることを特徴とする請求項１に記載の撮像装置。
【請求項３】
前記第１ブラケット撮影および／または第２ブラケット撮影で変化させる撮影パラメータの種類を設定する設定手段を有することを特徴とする請求項１または２に記載の撮像装置。
【請求項４】
前記設定手段は、前記第１ブラケット撮影の後に、前記第２ブラケット撮影で変化させる撮影パラメータの種類を設定可能であることを特徴とする請求項３に記載の撮像装置。
【請求項５】
前記撮影手段は、前記選択手段による画像選択に同期して前記第２ブラケット撮影の撮影を開始することを特徴とする請求項１から４の何れか１項に記載の撮像装置。
【請求項６】
前記選択手段により第１ブラケット撮影によって取得された複数の画像から１つの画像が選択された後に、第１ブラケット撮影によって取得された画像のデータを消去することを特徴とする請求項１から５の何れか１項に記載の撮像装置。
【請求項７】
一度の撮影指示により少なくとも１種類の撮影パラメータの値を変化させて複数の画像を取得するブラケット撮影を複数回行う撮像方法であって、
第１撮影パラメータを変化させて第１ブラケット撮影を行うステップと、
前記第１ブラケット撮影によって取得された複数の画像を表示するステップと、
前記表示された複数の画像から１つの画像を選択するステップと、
前記選択手段によって選択された画像に対応する値を用いて第１撮影パラメータを固定し、前記第１撮影パラメータと異なる第２撮影パラメータの値を変化させて第２ブラケット撮影を行うステップと、を有することを特徴とする撮像方法。
【発明の詳細な説明】
【技術分野】
【０００１】
本発明は、撮像装置に関し、特に複数回のブラケット撮影を繰り返す行う際に用いられる撮像装置、および撮像方法に関するものである。
【背景技術】
【０００２】
一度のシャッタレリーズで撮影パラメータの値を段階的に変化させた画像を複数枚同時に撮影するブラケット撮影機能を備えたデジタルカメラが知られている。従来のブラケット撮影機能は、一度に変化させることが可能な撮影パラメータは１種類のみであった。
【０００３】
従って、例えば、複数の種類の撮影パラメータについて、現在の撮影対象に最も適した撮影パラメータ値に各々設定したいという場合において、ユーザは何度もブラケット撮影を繰り返して試行錯誤する必要が有った。このような作業は、特にカメラ初心者のユーザにとっては困難な作業となっていた。
【０００４】
上記の課題に対し、特許文献１では１回のブラケット撮影で複数の種類の撮影パラメータを同時に変化させることが可能なブラケット撮影機能を備えた構成としている。
【先行技術文献】
【特許文献】
【０００５】
【特許文献１】特開２００６−６７４６４号公報
【発明の概要】
【発明が解決しようとする課題】
【０００６】
しかしながら、上記従来技術の構成では、ブラケット撮影において同時に変化させる撮影パラメータの種類の数が大きくなるにしたがって非常に多くの画像を扱うことになるため、大きな画像処理能力や画像メモリを必要となるといった問題がある。
【０００７】
本発明は上記の問題点に鑑み、大きな画像処理能力や画像メモリを必要とせずに、ユーザの嗜好に合った最適な撮影パラメータの画像を容易に得ることを可能とする撮像装置、および撮像方法を提供することを目的とする。
【課題を解決するための手段】
【０００８】
本発明の１実施態様によれば、一度の撮影指示により少なくとも１種類の撮影パラメータの値を変化させて複数の画像を取得するブラケット撮影を行う撮像装置であって、撮影手段と、第１撮影パラメータを変化させた第１ブラケット撮影によって取得された複数の画像を表示する表示手段と、前記表示手段に表示された複数枚の画像から１つの画像を選択する選択手段と、を備え、前記撮影手段は、前記選択手段によって選択された画像に対応する値を用いて第１撮影パラメータを固定し、前記第１撮影パラメータと異なる第２撮影パラメータの値を変化させて第２ブラケット撮影を行うことを特徴とする撮像装置である。
【０００９】
また、本発明の１実施態様によれば、一度の撮影指示により少なくとも１種類の撮影パラメータの値を変化させて複数の画像を取得するブラケット撮影を複数回行う撮像方法であって、第１撮影パラメータを変化させて第１ブラケット撮影を行うステップと、前記第１ブラケット撮影によって取得された複数の画像を表示するステップと、前記表示された複数の画像から１つの画像を選択するステップと、前記選択手段によって選択された画像に対応する値を用いて第１撮影パラメータを固定し、前記第１撮影パラメータと異なる第２撮影パラメータの値を変化させて第２ブラケット撮影を行うステップと、を有することを特徴とする撮像方法である。
【発明の効果】
【００１０】
本発明によれば、大きな処理能力や画像メモリを必要とせずに、ユーザの嗜好に合った最適な撮影パラメータの画像を容易に得ることが可能となる。
【図面の簡単な説明】
【００１１】
【図１】撮像装置の構成を示すブロック図。
【図２】第１及び第２の実施形態における表示部の画面遷移を説明する図。
【図３】第１の実施形態における撮像装置の動作処理を示すフローチャート。
【図４】第２の実施形態における撮像装置の動作処理を示すフローチャート。
【図５】第３の実施形態における表示部の画面遷移を説明する図。
【図６】第３の実施形態における撮像装置の動作処理を示すフローチャート。
【発明を実施するための形態】
【００１２】
以下、図面を参照しながら本発明の好適な実施の形態を説明する。
【００１３】
（第１の実施形態）
以下、本発明の第１の実施形態について説明する。図１は、本発明の第１の実施形態における撮像装置１００の構成を示すブロック図である。
【００１４】
ＣＰＵ１０１は、撮像装置１００の全ての動作を統括し制御する。撮像素子１０２は、たとえばＣＣＤやＣＭＯＳなどで構成されており、被写体像を光電変換して画像信号を得る。Ａ／Ｄ変換回路１０３は、撮像素子１０２から出力されたアナログ信号をデジタル信号に変換する。タイミング発生回路１０４は、ＣＰＵ１０１により制御され、撮像素子１０２とＡ／Ｄ変換回路１０３にクロック信号や制御信号を供給する。
【００１５】
ＲＡＭ１０５は、ＣＰＵ１０１のワークエリアとして使用される一時記録領域としての記録装置である。ＲＡＭ１０５には、撮像素子１０２によって撮像された画像データも格納され、所定枚数の画像データを格納するのに十分な容量を備えている。また、ブラケット撮影時の撮影に関する各種設定を保持するブラケット設定保持部１０５１を有する。
【００１６】
ＲＯＭ１０６は後述のフローチャート等の制御プログラムを格納する記憶装置である。
【００１７】
画像処理部１０７は撮影の結果得られた画像データに対して補正等の画像処理を行う。また、画像合成部１０８は、後述する表示部１１０に表示する画像データに文字情報等の情報表示を合成する。この画像合成部１０８は、複数の画像データを並べて合成する画像配置機能を有している。
【００１８】
タッチパネル１０９は、表示部１１０と操作部１１１を有している。表示部１１０には、画像合成部１０８で合成された画像データとともに、ユーザインタフェースである指示ボタンなどの操作用アイコンが表示される。操作部１１１は、表示部１１０に表示された指示ボタンなどの操作用アイコンを用いて操作に応じて操作指示を受け付ける。
【００１９】
選択検出部１１２は、タッチパネル１０９上にユーザの指が触れているか否か、及び、どの位置に振れているかを検出して、画像選択を行う。
【００２０】
Ｉ／Ｆ（インタフェース）１１３はメモリカードやハードディスク等の外部記録装置とのインタフェースであり、コネクタ１１４はメモリカードやハードディスク等との外部記録装置と接続を行う。メモリカードやハードディスク等の外部記録装置２００は、撮像装置１００との接続を行うコネクタ２０１、撮像装置１００とのＩ／Ｆ（インタフェース）２０２、静止画を記録する記録部２０３を備える。
【００２１】
本実施形態では、外部記録装置を取り付けるインタフェース及びコネクタを一系統持つものとして説明しているが、外部記録装置を取り付けるインタフェース及びコネクタは、単数或いは複数、いずれの系統数を備える構成としても構わない。また、異なる規格のインタフェースおよびコネクタを組み合わせて備える構成としても構わない。更に、インタフェースとして無線機器等に対応させることにより、他のコンピュータ等の周辺機器との間で静止画や動画の転送が可能な構成としてもよい。
【００２２】
次に、上記構成を有する撮像装置１００におけるブラケット撮影時の表示部１１０の画面の遷移について、図２と図３を用いて説明する。
【００２３】
図２（Ａ）は、１回のブラケット撮影で同時に変化させる撮影パラメータ数を設定する際の画面の例を示す図である。図２（Ａ）に示す画面では、同時に変化させる撮影パラメータ数として、１種類を選択するボタン３０１と２種類を選択するボタン３０２が表示されている。
【００２４】
ユーザは１種類を選択するボタン３０１と２種類を選択するボタン３０２から何れか一方を選択可能である。
【００２５】
１種類を選択するボタン３０１が選択された場合は、同時に変化させる撮影パラメータは１種類に設定され、２種類を選択するボタンが選択された場合は、同時に変化させる撮影パラメータの種類は２種類に設定される。前記設定は、ブラケット設定保持部１０５１に記憶される。
【００２６】
なお、上記説明において、同時に変化させる撮影パラメータ数は１種類または２種類としているが、３種類でも、４種類でも良く、数は特に問わない。
【００２７】
図２（Ｂ−１）及び図２（Ｂ−２）は、ブラケット撮影を行う回数と各々のブラケット撮影で変化させる撮影パラメータの種類を設定する際の画面の例を示す図である。図２（Ｂ−１）は１回のブラケット撮影で同時に変化させる撮影パラメータ数が１種類の場合、図２（Ｂ−２）は２種類である場合の例となる。
【００２８】
なお、以降の説明において、ブラケット撮影時に変化させる撮影パラメータの種類をブラケット撮影パラメータとする。
【００２９】
ブラケット撮影パラメータボタン群３０３は、ユーザが設定可能であるブラケット撮影パラメータの全種類がリストアップされているボタン群である。
【００３０】
ブラケット撮影パラメータ設定表示領域３０４は、ユーザが設定したブラケット撮影パラメータがブラケット撮影で変更される順番を示している。３０４１はブラケット撮影の順番を示す。３０４２はブラケット撮影時の各順番におけるブラケット撮影パラメータを示す。
【００３１】
ユーザはブラケット撮影パラメータボタン群３０３の中から一度に１つのブラケット撮影パラメータを選択可能である。
【００３２】
ユーザがブラケット撮影パラメータボタン群３０３の中から１つ選択するごとに、選択された順番で、選択されたブラケット撮影パラメータが設定される。設定されたブラケット撮影パラメータはブラケット撮影パラメータ設定表示領域３０４に、ブラケット撮影の順番３０４１及び各順番でのブラケット撮影パラメータがわかるように表示される。
【００３３】
なお、図２（Ｂ−１）の例では、ブラケット撮影１番目のブラケット撮影パラメータは「絞り」であり、２番目は「ＩＳＯ」、３番目は「明るさ」となる。また、図２（Ｂ−２）の例では、ブラケット撮影１番目のブラケット撮影パラメータは「フォーカス」と「絞り」であり、２番目は「ホワイトバランス」と「明るさ」となる。
【００３４】
３０５はブラケット撮影パラメータ設定終了ボタンである。
【００３５】
ブラケット撮影パラメータ設定終了ボタン３０５が操作部１１１で選択されたと選択検出部１１２により検出された場合は、ブラケット撮影を行う回数及びブラケット撮影パラメータの設定が終了される。
【００３６】
図２（Ｃ）はブラケット撮影の際の画面の例を示す図である。表示部１１０にはライブビューが表示される。３０６は撮像命令の指示を行う撮像ＳＷボタンである。
【００３７】
ユーザが操作部１１１で撮像ＳＷ３０６を選択したと選択検出部１１２で検出された場合、ブラケット撮影が開始される。
【００３８】
図２（Ｄ−１）及び図２（Ｄ−２）はブラケット撮影画像選択時の画面の例を示す図である。図２（Ｄ−１）はブラケット撮影時に同時に変化させる撮影パラメータ数が１種類の場合、図２（Ｄ−２）は２種類である場合の例となる。
【００３９】
３０７はブラケット撮影で撮影した画像である。図２（Ｄ−１）、図２（Ｄ−２）共にブラケット撮影時のブラケット撮影パラメータはα、α−β、α＋βの３段階に変化したものとする。この際、一度のブラケット撮影で撮影される画像の枚数は、同時に変化するブラケット撮影パラメータ数をＰとすると、３のＰ乗となる。
【００４０】
図２（Ｄ−１）の例では、同時に変化するブラケット撮影パラメータ数は１種類であるため、３枚の画像が撮影される。
【００４１】
図２（Ｄ−２）の例では、同時に変化するブラケット撮影パラメータ数は２種類であるため、９枚の画像が撮影される。
【００４２】
図２（Ｄ−１）に示すように画像は左端から右端へブラケット撮影パラメータ値プラス方向になるように列状に並べて表示される。また、一度のブラケット撮影時のブラケット撮影パラメータが２種類である場合は、図２（Ｄ−２）に示すように、左端から右端へ第１のブラケット撮影パラメータ値プラス方向に、下端から上端へ第２のブラケット撮影パラメータプラス方向になるようにマトリクス状に並べて表示される。
【００４３】
表示部１１０は、ユーザに設定された変化させるブラケット撮影パラメータの種類の数に応じて表示態様を自動的に変更するようにしてもよい。
【００４４】
ユーザは表示された複数の画像３０７の中から１つの画像を選択可能である。
【００４５】
ユーザが表示された複数の画像３０７の中から１つの画像を選択すると、直前のブラケット撮影（第１ブラケット撮影）での選択した画像のブラケット撮影パラメータの値に更新され、次のブラケット撮影（第２ブラケット撮影）が開始される。
【００４６】
つまり、第１ブラケット撮影で変化させたブラケット撮影パラメータ（第１ブラケット撮影パラメータ）については、選択された画像に対応する値を用いてパラメータ値を固定し、第２ブラケット撮影では第１ブラケット撮影パラメータと異なるブラケット撮影パラメータ（第２ブラケット撮影パラメータ）の値を段階的に変化させる。
【００４７】
次に、上記構成を有する撮像装置１００のブラケット撮影時の撮像動作について図３に示すフローチャートを用いて説明する。
【００４８】
図３のフローチャートに示す処理は、撮像装置１００のＣＰＵ１０１が入力信号やプログラムに従い、撮像装置１００の各部を制御することにより実現される。図３のフローチャートは、撮像装置１００の主電源スイッチがＯＮかつ、ブラケット撮影モードに設定されている状態であるときに実行される。
【００４９】
まずステップＳ４０１では、ブラケット撮影時に同時に変化させる撮影パラメータ数の設定を行う。表示部１１０には図２（Ａ）に示す画面が表示される。
【００５０】
ユーザは１種類を選択するボタン３０１乃至２種類を選択するボタン３０２から１つを操作部１１１で選択する。ＣＰＵ１０１は選択検出部１１２の検出結果によって何れのボタンが選択されたかを知る。
【００５１】
次に、ステップＳ４０２〜Ｓ４０４では、ブラケット撮影を行う回数及びブラケット撮影パラメータの設定を行う。表示部１１０には図２（Ｂ−１）乃至図２（Ｂ−２）に示す画面が表示される。
【００５２】
ステップＳ４０２では、ユーザはブラケット撮影パラメータを選択する。
【００５３】
ユーザはブラケット撮影パラメータボタン群３０３の中から１つを操作部１１１で選択する。ＣＰＵ１０１は選択検出部１１２の検出結果によって何れのボタンが選択されたかを知る。
【００５４】
ステップＳ４０３では、ブラケット撮影回数Ｎの値を１加算する。なお、ブラケット撮影回数Ｎの値の初期値は０である。
【００５５】
ステップＳ４０４では、ブラケット撮影パラメータ設定終了命令が検出されたか否か、即ちユーザが操作部１１１でブラケット撮影設定終了ボタン３０５を選択したと選択検出部１１２で検出したか否かを判定する。
【００５６】
ブラケット撮影パラメータ設定終了命令が検出された場合は、ブラケット撮影を行う回数及びブラケット撮影パラメータの設定を終了し、ステップＳ４０５に進む。この際、各種設定はブラケット設定保持部１０５１に記憶される。
【００５７】
なお、ブラケット設定保持部１０５１には、ステップＳ４０１及びステップＳ４０４で記憶した設定以外の、ブラケット撮影時の初期値となる撮影パラメータの設定が予め記憶されているものとする。
【００５８】
ブラケット撮影パラメータ設定終了命令が検出されない場合は、ステップＳ４０２に戻る。
【００５９】
ステップＳ４０５では、撮像命令の指示を待つ。表示部１１０には図２（Ｃ）の画面が表示される。撮像命令が検出された場合、即ちユーザが操作部１１１で撮像ＳＷ３０５を選択したと選択検出部１１２で検出した場合、ＣＰＵ１０１はブラケット設定保持部１０５１に記憶されたブラケット撮影時のパラメータ設定を読み出す。そして、１回目に設定されたブラケット撮影パラメータでのブラケット撮影開始指示を行い、ブラケット撮影が開始される（ステップＳ４０６）。なお、ブラケット撮影パラメータ以外の撮影パラメータは全てブラケット設定保持部１０５１から読み出された撮影パラメータに設定される。
【００６０】
ステップＳ４０７では、ブラケット撮影終了を待ち、ブラケット撮影が終了すると、ステップＳ４０８に進む。
【００６１】
ステップＳ４０８では、ブラケット撮影の順番３０４１に対応するブラケット撮影番号Ｍの値を１加算する。なお、ブラケット撮影番号Ｍの値の初期値は１である。
【００６２】
ステップＳ４０９では、撮像した画像データに対し、画像処理部１０７で所定の画像処理を行う。
【００６３】
ステップＳ４１０では、画像データをＲＡＭ１０５に記録すると共に、画像合成部１０８において、複数の画像データを並べて合成したプレビュー画像を生成する。なお、画像データをＲＡＭ１０５に記憶する際、前回のブラケット撮影で撮像した画像データが既に存在する場合は、その画像データは消去して破棄される。
【００６４】
ステップＳ４１１ではステップＳ４１０で生成したプレビュー画像を表示部１１０に表示する。表示部１１０には図２（Ｄ−１）乃至図２（Ｄ−２）に示す画面が表示される。
【００６５】
ステップＳ４１２では、ＲＡＭ１０５に記憶された画像データがインタフェース１１３を介して、記録部３０３に記録される。
【００６６】
ステップＳ４１３では、ブラケット撮影番号Ｍの値がブラケット撮影回数Ｎの値と一致するか否か、即ち、Ｓ４０２〜Ｓ４０４で設定したブラケット撮影が全て終了したか否かを判定する。終了していない場合は、ステップＳ４１４に進む。
【００６７】
ステップＳ４１４では、ユーザがブラケット撮影で撮影して取得した複数の画像３０７の中から１つの画像を操作部１１１で選択するまで待つ。ＣＰＵ１０１は選択検出部１１２の検出結果によって何れの画像が選択されたかを知る。ここで、ＲＡＭ１０５に記録された画像データは、選択検出部１１２により何れかの画像が選択されたことを検知した後に、ＲＡＭ１０５から消去されるようにしても良い。このようにブランケット撮影ごとに画像データを消去することで画像メモリの領域を効率的に活用することが可能となる。
【００６８】
ステップＳ４１５では、直前（ブラケット撮影番号Ｍ−１回目）のブラケット撮影でのブラケット撮影パラメータの値をステップＳ４１４で選択した画像のブラケット撮影パラメータの値に更新しブラケット設定保持部１０５１に記憶する。
【００６９】
ステップＳ４１６では、ＣＰＵ１０１はブラケット設定保持部１０５１に記憶されたブラケット撮影時のパラメータ設定を読み出し、ブラケット撮影番号Ｍに設定されたブラケット撮影パラメータでのブラケット撮影開始指示を行い、ブラケット撮影を開始する。なお、ブラケット撮影パラメータ以外の撮影パラメータは全てブラケット設定保持部１０５１から読み出された撮影パラメータに設定される。
【００７０】
なお、選択検出部１１２で画像の選択が検出されたのと同期して次のブラケット撮影が自動的に開始されるようにしても良い。この場合、画像選択後に改めてユーザがブラケット撮影の撮影指示を入力することを省略することができる。
【００７１】
ステップＳ４１３でブラケット撮影番号Ｍの値が、ブラケット撮影回数Ｎの値と一致する、即ち、Ｓ４０２〜Ｓ４０４で設定したブラケット撮影が全て終了した場合は、本フローチャートを終了する。
【００７２】
上述したように、第１の実施形態による撮像装置では、少数の撮影パラメータを変化させるブラケット撮影を繰り返して複数回行うことにより、ユーザが最適と判断する撮影パラメータの値に追い込んでいくための手段を提供する。
【００７３】
この結果、大きな画像処理能力を必要とせずに、ユーザの嗜好に合った最適な撮影パラメータの画像を容易に得ることが可能となる。
【００７４】
なお、特に複数回のブラケット撮影によって変化させるブラケット撮影パラメータの種類の合計が３以上である場合に本発明は好適である。表示部１１０は、３種類のブラケット撮影パラメータを同時に変化させてブラケット撮影した画像を表示するのが困難だからである。このような場合は、本発明のように、１種類または２種類のブラケット撮影パラメータを変化させてブラケット撮影を繰り返し行うことで、効果的に最適な撮影パラメータの値を決定することができる。
【００７５】
さらになお、２回目以降のブラケット撮影ごとに、ブラケット撮影で変化させる撮影パラメータの種類を追加して設定できる構成にしても良い。こうすることで、直前のブラケット撮影の結果を確認してから、ブラケティングする撮影パラメータを適宜追加することができ、ユーザの意図をより反映したブラケット撮影が可能となる。
【００７６】
（第２の実施形態）
次に、本発明の第２の実施形態について説明する。
【００７７】
第１の実施形態では、ブラケット撮影で撮像した画像データが全て記録部３０３に記録される構成としていた。
【００７８】
しかしながら、ユーザが最適と判断した撮影パラメータで撮像された一枚の画像データのみが記録されればよい場合が存在し、また一枚の画像データのみを記録することにより記録部３０３の記録容量を抑えることができる。
【００７９】
そこで第２の実施形態では、ユーザが最終的に選択した一枚の画像データのみを記録部３０３に記録する構成としている。
【００８０】
第２の実施形態においても、図１を参照して説明したものと同様の撮像装置を用いるため、ここでは説明を省略する。
【００８１】
第２の実施形態における撮像装置１００のブラケット撮影時の撮像動作について図４に示すフローチャートを用いて説明する。
【００８２】
図４のフローチャートは第１の実施形態で説明した図３のフローチャート同様、撮像装置１００の主電源スイッチがＯＮかつ、ブラケット撮影モードに設定されている状態であるときに実行される。
【００８３】
ステップＳ５０１〜Ｓ５１０までの処理は、第１の実施形態で説明した図３のフローチャートのステップＳ４０１〜Ｓ４１０までの処理と同様の処理であるため、ここでは説明を省略する。
【００８４】
ステップＳ５１１では、ステップＳ５１０で生成したプレビュー画像を表示部１１０に表示し、ステップＳ５１２に進む。
【００８５】
ステップＳ５１２では、ユーザがブラケット撮影で撮影した画像３０７の中から１つの画像を操作部１１１で選択するまで待つ。ＣＰＵ１０１は選択検出部１１２の検出結果によって何れの画像が選択されたかを知る。
【００８６】
ステップＳ５１３では、ブラケット撮影番号Ｍの値がブラケット撮影回数Ｎの値と一致するか否か、即ち、Ｓ５０２〜Ｓ５０４で設定したブラケット撮影が全て終了したか否かを判定する。終了していない場合は、ステップＳ５１４に進む。
【００８７】
ステップＳ５１４、ステップＳ５１５の処理は、第１の実施形態で説明した図３のフローチャートのステップＳ４１５、ステップＳ４１６の処理と同様の処理であるため、ここでは説明を省略する。
【００８８】
ステップＳ５１３でブラケット撮影番号Ｍの値が、ブラケット撮影回数Ｎの値と一致する、即ち、Ｓ５０２〜Ｓ５０４で設定したブラケット撮影が全て終了した場合は、ステップＳ５１６に進む。
【００８９】
ステップＳ５１６では、ステップＳ５１２で選択された画像に対応する画像データのみがインタフェース１１３を介して、記録部３０３に記録される。
【００９０】
上述したように、第２の実施形態による撮像装置では、ユーザが最終的に選択した一枚の画像データのみを記録部３０３に記録する。
【００９１】
この結果、記録部３０３の記録容量を抑えることが可能となる。
【００９２】
（第３の実施形態）
次に、本発明の第３の実施形態について説明する。
【００９３】
第１の実施形態、第２の実施形態共に、複数回のブラケット撮影を行う際、同時に変化させる撮影パラメータの数、ブラケット撮影を行う回数及びブラケット撮影パラメータを最初のブラケット撮影前に全て設定する構成としていた。
【００９４】
しかしながら、ブラケット撮影により撮影した画像を確認しながら、ブラケット撮影を継続するか否か、継続する場合、次のブラケット撮影パラメータを何にするかを選択したい場合が存在する。
【００９５】
そこで、第３の実施形態では、ブラケット撮影毎に、同時に変化させる撮影パラメータの数及びブラケット撮影パラメータを選択可能な構成としている。
【００９６】
第３の実施形態においても、図１を参照して説明したものと同様の撮像装置を用いるため、ここでは説明を省略する。
【００９７】
第３の実施形態における撮像装置１００のブラケット撮影時における表示部１１０の画面遷移について図５に示す図を用いて説明する。
【００９８】
図５（Ａ）は、ブラケット撮影時に同時に変化させる撮影パラメータ数を設定する際の画面の例を示す図であり、表示部１１０内の６０１，６０２は、第１の実施形態で説明した図２（Ａ）の３０１、３０２と同等であるためここでは説明を省略する。
【００９９】
図５（Ｂ−１）及び図５（Ｂ−２）は、ブラケット撮影パラメータを設定する際の画面の例を示す図である。図５（Ｂ−１）はブラケット撮影時に同時に変化させる撮影パラメータ数が１種類の場合、図５（Ｂ−２）は２種類である場合の例となる。
【０１００】
６０３はブラケット撮影パラメータの全種類がリストアップされているブラケット撮影パラメータボタン群である。
【０１０１】
図５（Ｃ）はブラケット撮影の際の画面の例を示す図である。表示部１１０にはライブビューが表示される。６０４は撮像命令の指示を行う撮像ＳＷボタンである。６０５はブラケット撮影パラメータの設定処理に戻るための戻りＳＷボタンである。
【０１０２】
図５（Ｄ−１）及び図５（Ｄ−２）はブラケット撮影画像選択時の画面の例を示す図である。図５（Ｄ−１）はブラケット撮影時に同時に変化させる撮影パラメータ数が１種類の場合、図５（Ｄ−２）は２種類である場合の例となる。
【０１０３】
６０６はブラケット撮影で撮影した画像である。図５（Ｄ−１）、図５（Ｄ−２）は図２（Ｄ−１）、図２（Ｄ−２）と同様にブラケット撮影時のブラケット撮影パラメータはα、α−β、α＋βの３段階に変化したものとする。
【０１０４】
６０６は第１の実施形態で説明したブラケット撮影で撮影した画像３０７と同等であるため、ここでは説明を省略する。
【０１０５】
ユーザが表示された複数の画像の中から、１つの画像を選択すると、直前のブラケット撮影でのブラケット撮影パラメータの値が選択した画像のブラケット撮影パラメータの値に更新される。
【０１０６】
次に、第３の実施形態における撮像装置１００のブラケット撮影時の撮像動作について図６に示すフローチャートを用いて説明する。
【０１０７】
図６のフローチャートは第１の実施形態で説明した図３のフローチャート同様、撮像装置１００の主電源スイッチがＯＮかつ、ブラケット撮影モードに設定されている状態であるときに実行される。
【０１０８】
まずステップＳ７０１では、ブラケット撮影時に同時に変化させる撮影パラメータ数の設定を行う。表示部１１０には図５（Ａ）に示す画面が表示される。ステップＳ７０１の処理は、第１の実施形態で説明した図３のフローチャットのステップＳ４０１の処理と同様の処理であるため、詳細な説明は省略する。
【０１０９】
次にステップＳ７０２ではブラケット撮影パラメータの選択を行う。表示部１１０には図５（Ｂ−１）乃至図５（Ｂ−２）に示す画面が表示される。選択したブラケット撮影パラメータはブラケット設定保持部１０５１に記憶される。なお、ブラケット設定保持部１０５１には、ステップＳ７０１及びステップＳ７０２で記憶した設定以外の、ブラケット撮影時の初期値となる撮影パラメータの設定が予め記憶されているものとする。
【０１１０】
ステップＳ７０３、ステップＳ７０４では、撮像命令の指示を待つ（ステップＳ７０４）間、戻り命令を検出したか否かの判定を行う（ステップＳ７０３）。表示部１１０には図２（Ｃ）の画面が表示される。戻り命令が検出されたと判定された場合、即ちユーザが操作部１１１で戻りＳＷ６０５を選択したと選択検出部１１２で検出された場合、ステップＳ７０１に戻る。ユーザが操作部１１１で撮像ＳＷ６０４を選択したと選択検出部１１２で検出された場合、ＣＰＵ１０１はブラケット設定保持部１０５１に記憶されたブラケット撮影時のパラメータ設定を読み出す。
【０１１１】
ステップＳ７０５では、ステップＳ７０１、Ｓ７０２で設定した同時に変化させる撮影パラメータ数、ブラケット撮影パラメータによりブラケット撮影を開始する。なお、ブラケット撮影パラメータ以外の撮影パラメータは全てブラケット設定保持部１０５１から読み出された撮影パラメータに設定される。
【０１１２】
ステップＳ７０６では、ブラケット撮影終了を待ち、ブラケット撮影が終了すると、ステップＳ７０７に進む。
【０１１３】
ステップＳ７０７〜Ｓ７１０の処理は、第１の実施形態で説明した図３のフローチャートのステップＳ４０９〜Ｓ４１２の処理と同等であるため、ここでは説明を省略する。
【０１１４】
ステップＳ７１１〜ステップＳ７１３では、戻り命令、ブラケット撮影終了命令、画像の選択の何れかが検出されるまで待つ。戻り命令の検出が行われた場合、即ちユーザが操作部１１１で戻りＳＷ６０５を選択したと選択検出部１１２で検出された場合（ステップＳ７１１）は、ステップＳ７０１に戻る。ブラケット撮影終了命令の検出がおこわなれた場合、即ちユーザが撮像終了ＳＷ６０７を選択したと選択検出部１１２で検出された場合（ステップＳ７１２）は、本フローチャートを終了する。画像の選択が行われた場合、即ちユーザがブラケット撮影で撮影した画像６０６の中から１つの画像を選択したと選択検出部１１２で検出された場合（Ｓ７１３）は、ステップＳ７１４に進む。
【０１１５】
ステップＳ７１４では、直前のブラケット撮影でのブラケット撮影パラメータの値をステップＳ７１３で選択した画像のブラケット撮影パラメータの値に更新し、ブラケット設定保持部１０５１に記憶する。そして、ステップＳ７０１に戻る。
【０１１６】
なお、第３の実施形態においても、第２の実施形態で説明したように、ユーザが最終的に選択した一枚の画像データのみを記録部３０３に記録する構成としてもよい。
【０１１７】
その場合、ステップＳ７０９の処理終了後、ステップＳ７１０の処理を行わずにステップＳ７１１に進む。ステップＳ７１２において、ブラケット撮影終了命令の検出が行われた場合、ステップ７１３と同様に画像の選択の検出が行われる。そして、前記選択された画像に対応する画像データのみがインタフェース１１３を介して、記録部３０３に記録されるフローとすればよい。
【０１１８】
上述したように、第３の実施形態による撮像装置では、ブラケット撮影毎に、同時に変化させる撮影パラメータの数及び変化させる撮影パラメータの種類を選択可能としている。
【０１１９】
この結果、ブラケット撮影により撮影した画像を確認しながら、ブラケット撮影を継続するか否か、継続する場合、次のブラケット撮影パラメータを何にするかを選択することが可能となる。
【０１２０】
以上説明した実施形態は代表的な形態にすぎず、本発明の実施に際しては、上記実施形態に対し種々の変形や変更が可能である。
【符号の説明】
【０１２１】
１００  撮像装置
１０１  ＣＰＵ
１０２  撮像素子
１０５  ＲＡＭ
１０５１  ブラケット設定保持部
１０６  ＲＯＭ
１０７  画像処理部
１０８  画像合成部
１０９  タッチパネル
１１０  表示部
１１１  操作部
１１２  選択検出部
２００  外部記録装置
２０３  記録部
【図１】
2016046738.tif 000003
【図２】
2016046738.tif 000004
【図３】
2016046738.tif 000005
【図４】
2016046738.tif 000006
【図５】
2016046738.tif 000007
【図６】
2016046738.tif 000008